(57)【要約】【課題】所定の柔軟性および強靭性を有し、長期間の使用接触によってもかぶれなどの接触性皮膚炎が発症せず、原材料からの加工工程においても必要な酸化防止機能および滑性を保有することができるリストバンドを提供すること。【解決手段】リストバンドの原材料として、酸化防止剤あるいは脂肪酸アミドなどの添加剤を必要としないとともに、所定の柔軟性および強靱性を備えたエチレンメタクリル酸共重合樹脂を採用することに着目したもので、人体の四肢の少なくともいずれかひとつに巻き付けるとともに、少なくともその人体の個人情報を印字可能なリストバンドであって、人体に接触する接触面１８Ｃを有する接触面層１８の素材として、エチレンメタクリル酸共重合樹脂を用いたことを特徴とする。【選択図】図２
2007176033.tif 000002
【特許請求の範囲】
【請求項１】
人体の四肢の少なくともいずれかひとつに巻き付けるとともに、少なくともその人体の個人情報を印字可能なリストバンドであって、
前記人体に接触する接触面を有する接触面層の素材として、エチレンメタクリル酸共重合樹脂を用いたことを特徴とするリストバンド。
【請求項２】
前記接触面層の上層に、
前記接触面層に積層するナイロン樹脂による中間層と、
この中間層に積層する前記個人情報を印字可能な情報表示層と、を設けたことを特徴とする請求項１記載のリストバンド。
【請求項３】
前記接触面層にエンボス加工を施してあることを特徴とする請求項１記載のリストバンド。
【発明の詳細な説明】
【技術分野】
【０００１】
本発明はリストバンドにかかるもので、とくに病院などにおいて患者の四肢たとえば手首あるいは足首に環状にゆるく巻き付けて個人情報を表示するためのリストバンドに関するものである。
【背景技術】
【０００２】
最近、病院などにおいて患者の診療科、氏名、年齢、血液型などその個人固有の識別データをリストバンドに印字して表示した上で、患者の四肢たとえば手首あるいは足首に環状にゆるく巻き付けて、患者の特定を確実にすることが行われている。
【０００３】
このリストバンドは、患者の肌に直接接触するものであるため、入院期間が長期にわたる場合には、その接触部位に蒸れやかぶれ、ないしは接触性皮膚炎（皮膚アレルギー）などの症状が出るおそれがあるという問題がある。
リストバンドとしては、所定の柔軟性および強靭性が要請されるため、その素材としてポリエチレンなどの合成樹脂が採用されているが、ペレット状の原材料からリストバンドとして加工成形する際に加熱した状態で、たとえば押出しラミネーション技術などによってフィルム状に延展する工程を経ることから、何種類かの化学物質を添加することがある。
【０００４】
本発明者は、実際に接触性皮膚炎を発症したリストバンドについて検査した結果、原材料の加熱にともなう酸化の防止を行うための酸化防止剤、および原材料の滑性を確保するための脂肪酸アミドが上記接触性皮膚炎の原因物質のひとつとなっていることを確認した。
しかして、酸化防止剤あるいは脂肪酸アミドなどの添加剤は、上記押出しラミネーション技術などによる加工工程における加熱および延展操作を経る以上、リストバンドの原材料の選択次第では必要なものである。
したがって、リストバンドとして使用にあたっての所定の柔軟性および強靭性を有するとともに、患者の長期にわたる使用にあたって接触性皮膚炎などを発症することがないように、その加工工程においてもこれらの添加剤を用いる必要がない原材料が要請されているものである。
【０００５】
【特許文献１】特開２００５−２８３９９２号公報
【発明の開示】
【発明が解決しようとする課題】
【０００６】
本発明は以上のような諸問題にかんがみなされたもので、所定の柔軟性および強靭性を有するリストバンドを提供することを課題とする。
【０００７】
また本発明は、長期間の使用接触によってもかぶれなどの接触性皮膚炎が発症しないようなリストバンドを提供することを課題とする。
【０００８】
また本発明は、原材料からの加工工程において必要な酸化防止機能および滑性を保有することができるリストバンドを提供することを課題とする。
【０００９】
また本発明は、酸化防止剤あるいは脂肪酸アミドなどの添加剤を必要とせずに、所定の酸化防止機能および滑性を保有することができるリストバンドを提供することを課題とする。
【課題を解決するための手段】
【００１０】
すなわち本発明は、リストバンドの原材料として、各種の材料を試行錯誤した結果、酸化防止剤あるいは脂肪酸アミドなどの添加剤を必要としないとともに、所定の柔軟性および強靱性を備えたエチレンメタクリル酸共重合樹脂を採用することに着目したもので、人体の四肢の少なくともいずれかひとつに巻き付けるとともに、少なくともその人体の個人情報を印字可能なリストバンドであって、上記人体に接触する接触面を有する接触面層の素材として、エチレンメタクリル酸共重合樹脂を用いたことを特徴とするリストバンドである。
【００１１】
上記接触面層の上層に、上記接触面層に積層するナイロン樹脂による中間層と、この中間層に積層する上記個人情報を印字可能な情報表示層と、を設けることができる。
【００１２】
上記接触面層にエンボス加工を施すことができる。
【００１３】
上記エチレンメタクリル酸共重合樹脂は、その重合度を選択することにより、リストバンドとしての使用の形態、状況あるいは条件など、さらには患者の状況に応じて任意の柔軟性および強度を確保することができる。
【発明の効果】
【００１４】
本発明によるリストバンドにおいては、リストバンドの原材料として、とくに人体に直接接触する接触面についてエチレンメタクリル酸共重合樹脂を採用したので、接触性皮膚炎の原因となり得る酸化防止剤あるいは脂肪酸アミドなどの添加剤を必要とせずに、リストバンドとしての必須特性である柔軟性および強靱性はもとより、とくに皮膚との親和性、および加工上の必要操作とくに加熱をともなう延展操作を実現可能とすることができる。
【発明を実施するための最良の形態】
【００１５】
本発明は、酸化防止剤あるいは脂肪酸アミドなどの添加剤を必要としないエチレンメタクリル酸共重合樹脂を採用したので、かぶれなどのおそれがない安全なリストバンドを実現した。
【実施例】
【００１６】
つぎに本発明の実施例によるリストバンドを図１ないし図３にもとづき説明する。
図１は、リストバンド連続体１の平面図であって、リストバンド連続体１は、細長い矩形状のリストバンド形成片２を破断線などによる接断線３において長手方向に切り取り分離可能に接続した帯状の構成で、ロール状に巻き取った状態で任意の方式のプリンター（図示せず）に装填可能としてある。
それぞれの単一のリストバンド形成片２は、リストバンド４およびそのカス取り部５からなり、リストバンド４の外形線に沿った破断線などによる分離線６においてリストバンド４をカス取り部５から分離することにより、患者の手首などに巻き付ける使用形態とすることができる。
リストバンド連続体１は、これを上記任意のプリンターに装填し、リストバンド４の表面側に患者の個人情報を印字することができる。
【００１７】
すなわち、リストバンド４は、他の部分に対して比較的幅広の表示部７と、比較的短い幅狭のバンド固定部８と、比較的長い幅狭の長さ調節部９と、からなる。
表示部７は、印字領域１０と、印字領域１０以外の非印字領域１１と、を有しており、印字領域１０には、各種の、たとえば一次元バーコードあるいは二次元コードによるコード印字領域１２、および人間の目で視認可能なヒューマン文字や記号により、患者の診療科名、氏名や年齢その他を表示するヒューマン文字印字領域１３を設けてある。なお、必要であれば、患者の個人情報に関連して、その病院や病棟の情報さらには看護士に関する情報なども印字しておくこともできる。
【００１８】
バンド固定部８には、バンド固定用係止孔１４（たとえば１個）を形成し、長さ調節部９には同じ大きさ（孔径）の長さ調節用係止孔１５（たとえば８個）を形成し、リストバンド４を患者の手首に巻いたときにその環状の径を調節して任意のバンド固定用係止孔１４および長さ調節用係止孔１５どうしを固定用クリップ（図示せず）により固定して患者の手首に巻き付け固定可能とする。
【００１９】
図２は、リストバンド４（リストバンド連続体１、リストバンド形成片２）の拡大縦断面図であって、上層側から、情報表示層１６と、中間層１７と、接触面層１８と、を有し、それぞれの層をたとえば押出しラミネーション技術により積層する。
【００２０】
情報表示層１６は、上述した印字領域１０および非印字領域１１などをその表面に有する個人情報を印字可能な層であって、印字層として必要ならば所定の表面処理を施した合成紙その他の材料を採用する。
【００２１】
中間層１７は、リストバンド４としての強度（強靭性および曲げおよび引っ張り強度など）を確保するために、たとえばナイロン樹脂その他の材料を採用する。
【００２２】
接触面層１８は、患者の皮膚に直接接触する層であって、皮膚との接触親和性を保持しておく必要があり、その素材として、本発明においては、エチレンメタクリル酸共重合樹脂（たとえば、三井・デュポンケミカル社製「ニュクレルＮ１１０８Ｃ」）を採用する。
この接触面層１８にエンボス加工を施してあり、多数のエンボス凹部１８Ａおよびエンボス凸部１８Ｂが交互に形成された表面形態を有し、接触面層１８の横方向に水分や汗などの蒸気が拡散しやすいようにしている。
この接触面層１８におけるエンボス加工面側が人体の皮膚との間の接触面１８Ｃであり、人体の皮膚の動きに応じてエンボス凹部１８Ａあるいはエンボス凸部１８Ｂがその皮膚に接触することになる。
【００２３】
なお、この接触面層１８にはエンボス加工を施すことなく、この接触面層１８の開放側を人体の皮膚との接触面１８Ｃとすることもできる。
【００２４】
図３は、エチレンメタクリル酸共重合樹脂の化学構造を示す説明図であって、エチレンメタクリル酸共重合樹脂については、必要に応じてその重合度を選択可能である。
【００２５】
なお、図示の例では、接触面層１８の上層に、中間層１７および情報表示層１６を設けているが、患者（人体）の皮膚に直接接触する可能性がある接触面層１８の材料をエチレンメタクリル酸共重合樹脂とすれば、情報表示層１６および中間層１７の材料は任意であり、積層構造自体についても単層あるいは複層の任意の形態を採用可能である。
【００２６】
こうした構成のリストバンド４（リストバンド連続体１、リストバンド形成片２）を用いることにより、リストバンドとしての必要な諸特性を確保することができるとともに、とくに病院などにおいても長期にわたって安心して使用することができる。
エチレンメタクリル酸共重合樹脂は、その加熱によっても酸化しにくく、また、所定レベルの滑性を保有しており、従来のリストバンドのように酸化防止剤および滑剤（脂肪酸アミドなど）を添加する必要がなく、リストバンド４として人体に長期間にわたって接触して使用しても、既述したような、かぶれないし接触性皮膚炎を発症するおそれは少ないものである。
【００２７】
すなわち、本発明のリストバンド４の素材であるエチレンメタクリル酸共重合樹脂は、カルボキシル基間の水素結合により分子間の結合力が強いので、強靭性を有するとともに、エチレン共重合体であるため適度な柔軟性を有する。
さらに、熱に対して比較的安定で押出しラミネーション技術などによる加工工程においても熱安定性を保持することができる。
また、吸湿性がなく、樹脂自体の取扱いが簡単であるとともに、蒸れやかぶれの原因とはなりにくい。
さらに、包装材料としての適正にすぐれ、積層しやすい特性があり、脂肪酸アミドなどの滑剤を必要としない。
もちろん、衛生性にもすぐれ、病院内での使用にあたっての問題はない。
【００２８】
したがって、リストバンド４として必要とされる各種の特性、たとえば、柔軟性ないし軟質性、人体の皮膚に対する接触親和性、強靭性や耐久性はもちろん、その加工工程における酸化防止や滑性の保持のための酸化防止剤および脂肪酸アミドなどの添加物を必要とせず、とくに患者の個人情報の表示および確認にあたって、接触性皮膚炎を引き起こすおそれがない。
【００２９】
なお本発明によるリストバンドは、上述の説明では、病院における患者への使用に供されるリストバンド４として説明したが、入場チケットをはじめ、任意の個人の識別を可能とする識別用のリストバンドとして応用が可能である。
【図面の簡単な説明】
【００３０】
【図１】本発明の実施例によるリストバンド４が連続した構成のリストバンド連続体１の平面図である。
【図２】同、リストバンド４（リストバンド連続体１、リストバンド形成片２）の拡大縦断面図である。
【図３】同、エチレンメタクリル酸共重合樹脂の化学構造を示す説明図である。
【符号の説明】
【００３１】
１  リストバンド連続体（図１）
２  リストバンド形成片
３  切断線
４  リストバンド（実施例、図１、図２）
５  カス取り部
６  分離線
７  リストバンド４の表示部
８  リストバンド４のバンド固定部
９  リストバンド４の長さ調節部
１０  表示部７における印字領域
１１  表示部７における非印字領域
１２  印字領域１０におけるコード印字領域
１３  印字領域１０におけるヒューマン文字印字領域
１４  バンド固定部８におけるバンド固定用係止孔
１５  長さ調節部長さ９における調節用係止孔
１６  情報表示層（図２）
１７  中間層
１８  接触面層
１８Ａ  接触面層１８のエンボス凹部（図２）
１８Ｂ  接触面層１８のエンボス凸部（図２）
１８Ｃ  接触面層１８における人体の皮膚との接触面（図２）
【図１】
2007176033.tif 000003
【図２】
2007176033.tif 000004
【図３】
2007176033.tif 000005